(57)【要約】【課題】半導体発光素子とレンズとを相対的に容易に位置決めできるレンズ収容構造を備えた照明装置を提供する。【解決手段】ＬＥＤユニット１１は、ＬＥＤ１９を収容する素子装着空間３１の素子装着開口３７が開口するハウジング１３と、レンズ装着空間８７にハウジング先端面３５を進入させてハウジング１３に被着されるカバー２５と、カバー２５に形成されてレンズ装着空間８７に進入したハウジング先端面３５を挟んでレンズ座部と反対側に開口するレンズ装着開口９１と、レンズ装着開口９１からレンズ座部に渡って形成されるレンズ挿入ガイド溝９３と、レンズ中心軸１０１に沿って突設されてレンズ挿入ガイド溝９３に係合することによりレンズ２７をレンズ座部まで挿入ガイドするとともにカバー２５のハウジング１３への被着時にＬＥＤ１９に当接するガイド杆１０７と、を備える。【選択図】図１
2014157688.tif 000002
【特許請求の範囲】
【請求項１】
半導体発光素子と、
前記半導体発光素子を収容する素子装着空間の素子装着開口が一外面に開口して前記一外面に直交する直交外面に前記素子装着空間に通じる光出射開口を有するハウジングと、
前記半導体発光素子からの出射光を屈折させるためのレンズを収容するレンズ装着空間に前記一外面を進入させて前記ハウジングに被着されるカバーと、
前記カバーに形成されて前記レンズ装着空間に進入した前記一外面を挟んで奥側のレンズ座部と反対側に開口するレンズ装着開口と、
前記レンズ装着開口から前記レンズ座部に渡って形成されるレンズ挿入ガイド溝と、
前記レンズの光入射側からレンズ中心軸に沿って突設されて前記レンズ挿入ガイド溝に係合することにより前記レンズを前記レンズ座部まで挿入ガイドするとともに前記カバーの前記ハウジングへの被着時に前記半導体発光素子に当接するガイド杆と、
を備えることを特徴とする照明装置。
【請求項２】
前記ガイド杆が、透明素材により前記レンズと一体に成形されていることを特徴とする請求項１に記載の照明装置。
【請求項３】
前記素子装着空間には、前記ガイド杆との間で前記半導体発光素子を挟む位置決め部が形成されていることを特徴とする請求項１または請求項２に記載の照明装置。
【発明の詳細な説明】
【技術分野】
【０００１】
本発明は、ＬＥＤ等の半導体発光素子を備えた照明装置に関する。
【背景技術】
【０００２】
ＬＥＤ（Ｌｉｇｈｔ  Ｅｍｉｔｔｉｎｇ  Ｄｉｏｄｅ）等の半導体発光素子と、該半導体発光素子を収容するハウジングと、該ハウジングに被着されるカバーと、該カバーに設けられて半導体発光素子からの出射光を屈折させるためのレンズと、を備えたＬＥＤユニット（照明装置）が、特許文献１に開示されている。
図８に示すように、このＬＥＤユニットは、図示しないハウジング内に、一対のバスバー５０１，５０３が組み付けられるとともに光源である半導体発光素子（ＬＥＤ）５０５が組み付けられる。平板形状をなして２分割されたバスバー５０１，５０３は、電線接続部５０７と、ツエナーダイオード接続部５０９と、抵抗器接続部５１１と、ＬＥＤ接続部５１３と、を有する。抵抗器接続部５１１には、２分割されたバスバー５０１，５０３のそれぞれに圧接刃５１５，５１５が備えられる。ツエナーダイオード接続部５０９には、単一の圧接刃５１７が一方のバスバー５０１に、単一の圧接刃５１９が他方のバスバー５０３に備えられる。
【０００３】
ツエナーダイオード５２１は、一方のリード部５２３が一方のバスバー５０１に、他方のリード部５２５が他方のバスバー５０３にそれぞれ電気的に接続されることで、抵抗器５２７の下流側で一対のバスバー５０１，５０３に並列に接続され、ツエナーダイオード５２１に順起電力が流れる方向で静電気により回路に印加される突発的な大電圧に対し半導体発光素子５０５を破壊から保護し、ツエナーダイオード５２１に逆起電力が流れる方向では通電を阻止し、同じく半導体発光素子を破壊から保護する機能を果たす。
【０００４】
上記したＬＥＤユニットには、レンズ部が一体となったリードタイプの半導体発光素子５０５が用いられている。このため、レンズ部と発光部との位置合わせの必要がない。
一方、半導体発光素子を有するＬＥＤユニットにおいては、レンズが別体のチップタイプの半導体発光素子を装着するものがある（特許文献２等参照）。
【先行技術文献】
【特許文献】
【０００５】
【特許文献１】特開２００７−１４９７６２号公報
【特許文献２】特開２０１２−１１３８３３号公報
【発明の概要】
【発明が解決しようとする課題】
【０００６】
しかしながら、上記のチップタイプの半導体発光素子を装着したＬＥＤユニットは、半導体発光素子を装着するハウジングと、レンズを装着するカバーとが一体に組み付けられる。このため、チップタイプの半導体発光素子とレンズとを相対的に位置決めしにくいという問題がある。また、一般的な集光用のレンズは、偏平円板状で片面が凸曲面であるため、自動組立の際に用いられるチャック等によっては把持しにくく、組立時の位置決めしにくいという問題がある。
【０００７】
本発明は上記状況に鑑みてなされたもので、その目的は、半導体発光素子とレンズとを相対的に容易に位置決めできるレンズ収容構造を備えた照明装置を提供することにある。
【課題を解決するための手段】
【０００８】
本発明に係る上記目的は、下記構成により達成される。
（１）  半導体発光素子と、前記半導体発光素子を収容する素子装着空間の素子装着開口が一外面に開口して前記一外面に直交する直交外面に前記素子装着空間に通じる光出射開口を有するハウジングと、前記半導体発光素子からの出射光を屈折させるためのレンズを収容するレンズ装着空間に前記一外面を進入させて前記ハウジングに被着されるカバーと、前記カバーに形成されて前記レンズ装着空間に進入した前記一外面を挟んで奥側のレンズ座部と反対側に開口するレンズ装着開口と、前記レンズ装着開口から前記レンズ座部に渡って形成されるレンズ挿入ガイド溝と、前記レンズの光入射側からレンズ中心軸に沿って突設されて前記レンズ挿入ガイド溝に係合することにより前記レンズを前記レンズ座部まで挿入ガイドするとともに前記カバーの前記ハウジングへの被着時に前記半導体発光素子に当接するガイド杆と、を備えることを特徴とする照明装置。
【０００９】
上記（１）の構成の照明装置によれば、レンズの光入射側からレンズ中心軸に沿ってガイド杆が突設され、自動組立の際にはこのガイド杆がチャックによって把持され、レンズを所望の姿勢で確実に保持できる。ガイド杆が把持されたレンズは、ガイド杆がカバーのレンズ挿入ガイド溝に係合して挿入ガイドされながらレンズ装着開口からレンズ装着空間に挿入され、奥側のレンズ座部に装着される。
カバーは、レンズが装着された状態で半導体発光素子が装着されているハウジングに被着される。カバーがハウジングに被着されると、ハウジングの一外面がレンズ装着空間に進入する。ハウジングの一外面には素子装着開口が開口されている。ここで、半導体発光素子は、素子装着空間に不完全に装着（半嵌合）されていると、素子装着開口から挿入後端部が突出した状態となる。素子装着開口から挿入後端部が突出した半導体発光素子は、ハウジングの一外面がレンズ装着空間に進入すると、レンズ挿入ガイド溝に係合しているガイド杆と当たる。
半導体発光素子は、カバーが所定位置までハウジングに被着されると、挿入後端部に当接したガイド杆によって素子装着空間の所定位置まで押し込まれ、正規装着位置となる。この際、半導体発光素子は、レンズと一体のガイド杆によってダイレクトに押し込まれるので、レンズとの相対位置に誤差が生じにくい。
【００１０】
（２）  上記（１）の構成の照明装置であって、前記ガイド杆が、透明素材により前記レンズと一体に成形されていることを特徴とするレンズ収容構造。
【００１１】
上記（２）の構成の照明装置によれば、半導体発光素子がレンズ外径の内側に配置されるサイズの場合、ガイド杆は、レンズ外径よりも内側に突出して形成されるが、透明素材からなることで、半導体発光素子から出射されてレンズの光入射側に入射するまでの間の光を遮ることがない。
【００１２】
（３）  上記（１）または（２）の構成の照明装置であって、前記素子装着空間には、前記ガイド杆との間で前記半導体発光素子を挟む位置決め部が形成されていることを特徴とする照明装置。
【００１３】
上記（３）の構成の照明装置によれば、ガイド杆に押し込まれた半導体発光素子が位置決め部に当たって止まり、所定位置以上に押し込まれることがない。半導体発光素子は、ガイド杆と位置決め部とで挟まれることにより振動や衝撃によって移動しにくくなり、固定信頼性が高まる。
【発明の効果】
【００１４】
本発明に係るレンズ収容構造を備えた照明装置によれば、半導体発光素子とレンズとを相対的に容易に位置決めできる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】本発明の一実施形態に係るレンズ収容構造を備えた照明装置の分解斜視図である。
【図２】（ａ）は図１に示した照明装置の組み立てられた状態を光出射側から見た外観斜視図、（ｂ）は（ａ）の照明装置をレンズ装着開口側から見た外観斜視図である。
【図３】図２（ａ）に示した照明装置におけるカバーの変形例を示す外観斜視図である。
【図４】（ａ）は端子装着工程を示す分解斜視図、（ｂ）は端子カット工程を示す平面図、（ｃ）は電子部品装着工程を示す分解斜視図である。
【図５】（ａ）は発光素子装着工程を示す分解斜視図、（ｂ）は抵抗器装着工程を示す分解斜視図、（ｃ）はレンズ装着工程を示す分解斜視図である。
【図６】（ａ）はカバー被着工程を示す分解斜視図、（ｂ）は電線組付工程を示す分解斜視図、（ｃ）は電線ホルダー装着工程を示す分解斜視図である。
【図７】（ａ）は組み立て完了した照明装置をレンズ装着開口側から見た平面図、（ｂ）は（ａ）のＡ−Ａ断面図である。
【図８】従来のＬＥＤユニットの要部斜視図である。
【発明を実施するための形態】
【００１７】
以下、本発明に係る実施形態を図面を参照して説明する。
図１に示すように、本実施形態に係るレンズ収容構造を備えた照明装置であるＬＥＤユニット１１は、ハウジング１３と、端子である左バスバー１５及び右バスバー１７と、チップタイプの半導体発光素子であるＬＥＤ１９、電子部品であるツエナーダイオード２１及び抵抗器２３と、カバー２５と、ＬＥＤ１９からの出射光を屈折させるためのレンズ２７と、電線ホルダー２９と、を主要な構成部材として有する。
【００１８】
ハウジング１３は、合成樹脂材により直方体形に成形される。ハウジング１３の内方には、ＬＥＤ１９を収容する素子装着空間３１とダイオード装着空間３３が形成される。素子装着空間３１とダイオード装着空間３３は、ハウジング１３の一外面であるハウジング先端面３５に素子装着開口３７、ダイオード装着開口３９となって開口される。ハウジング１３は、ハウジング先端面３５の反対側がハウジング後壁４１となる。
【００１９】
素子装着開口３７とダイオード装着開口３９の間は、上下仕切壁４３となる。この上下仕切壁４３には、ハウジング先端面３５から切り込まれたガイド杆進入溝４５が形成される。ハウジング１３には、ハウジング先端面３５に直交する直交外面４７（図７（ｂ）参照）に、素子装着空間３１に通じる光出射開口４９が開口される。
また、ハウジング１３には、直交外面４７と反対側の背部外面５１に、抵抗器２３を装着するための一対の抵抗器装着開口５３が開口されている。ハウジング１３の背部外面５１にはロック突起５５が突設され、ロック突起５５はカバー２５に係止してカバー２５からのハウジング１３の離脱を規制する。
【００２０】
ハウジング１３の内方には、左バスバー１５及び右バスバー１７を収容するバスバー収容室５７が形成され、バスバー収容室５７は直交外面４７にバスバー装着開口５９となって開口する。一対のバスバー収容室５７は、ハウジング中央壁６１を挟んで左右に画成される。
【００２１】
ハウジング中央壁６１の素子装着空間３１及びダイオード装着空間３３に臨む面には、位置決め部６３（図７（ｂ）参照）が形成され、位置決め部６３はＬＥＤ１９及びツエナーダイオード２１の挿入先端側に対向する。この位置決め部６３は、レンズ２７に形成される後述のガイド杆との間で、ツエナーダイオード２１とＬＥＤ１９を挟む。
【００２２】
本実施形態のＬＥＤユニット１１では、左右に並ぶ一対の左バスバー１５及び右バスバー１７を絶縁するために設けられたハウジング中央壁６１を利用して、位置決め部６３が形成されている。これにより、専用の位置決め部位を形成せずに済み、ハウジング構造がコンパクト化されている。
ハウジング１３に装着されるＬＥＤ１９、ツエナーダイオード２１、及び抵抗器２３は、一方の面に、一対の接点部が設けられた表面実装用の電子部品となっている。
【００２３】
左バスバー１５及び右バスバー１７は、一端に第１圧接部６５、他端に第２圧接部６７を有する。第１圧接部６５と第２圧接部６７との間には、第３圧接部６９を有する。左バスバー１５及び右バスバー１７は、ハウジング１３のバスバー収容室５７において、ハウジング中央壁６１により離間して並列配置される。左バスバー１５及び右バスバー１７のそれぞれの第１圧接部６５には、ＬＥＤ１９、ツエナーダイオード２１の各一対の接点部に弾性接触可能な上向き下向きとなる一対の主接触バネ片７１が配置されている。また、左バスバー１５及び右バスバー１７のそれぞれの第３圧接部６９には、抵抗器２３の一対の接点部と接続する一対の副接触バネ片７３が配置されている。
【００２４】
本実施形態のＬＥＤユニット１１では、左バスバー１５及び右バスバー１７の隣接する上向き側の一対の主接触バネ片７１が、ツエナーダイオード２１の一対の接点部と接続する。また、左バスバー１５及び右バスバー１７の隣接する下向きの一対の主接触バネ片７１が、ＬＥＤ１９の一対の接点部と接続する。また、それぞれの左バスバー１５及び右バスバー１７は、第３圧接部６９の一対の副接触バネ片７３が、抵抗器２３の一対の接点部と接続される。
【００２５】
左バスバー１５及び右バスバー１７は、ハウジング１３のバスバー収容室５７に装着された状態で第２圧接部６７がハウジング１３の外部に突出される。第２圧接部６７には、被覆付き電線７５の被覆を切り裂き導体と電気的に接触するための圧接刃７７が設けられる。左バスバー１５及び右バスバー１７は、圧接刃７７の基端側が後部当接片７９となる。この後部当接片７９は、ハウジング後壁４１に当接される。
【００２６】
本実施形態のＬＥＤユニット１１では、ＬＥＤ１９及びツエナーダイオード２１が、陽極と陰極との間で並列に接続されている。このような電子部品の接続構造では、ＬＥＤ１９及びツエナーダイオード２１と、陽極との間に抵抗器２３を設けた回路としたい場合が想定される。本構成では第３圧接部６９は、抵抗器２３の接続時、抵抗器２３の一対の接点部にそれぞれ接続する一対の副接触バネ片７３の間の連結部８１（図４（ｂ）参照）が分離される。連結部８１がカットされることで、それぞれの左バスバー１５及び右バスバー１７において、圧接刃７７に一方の副接触バネ片７３を介して一方の抵抗器接点部が接触した抵抗器２３は、他方の抵抗器接点部が他方の副接触バネ片７３に接触する。これにより、第２圧接部６７と第３圧接部６９との間に抵抗器２３が直列に設けられた回路が構成される。
【００２７】
ＬＥＤ１９は、接点部の設けられた面が、上段の主接触バネ片７１に向けられる。ツエナーダイオード２１は、接点部の設けられた面が、下段の主接触バネ片７１の側に向けられる。
本実施形態のＬＥＤユニット１１では、ＬＥＤ１９の接点間ピッチが、ツエナーダイオード２１の接点間ピッチよりも小さい。つまり、２つの電子部品は、異なる接点間ピッチとなっている。本実施形態の電子部品の接続構造では、このような異なる接点間ピッチの電子部品を同時に実装可能としている。すなわち、２本の左バスバー１５及び右バスバー１７の下段で近くに隣接する一対の主接触バネ片７１にＬＥＤ１９の一対の接点部が接触し、上段で離れて隣接する一対の主接触バネ片７１にツエナーダイオード２１の一対の接点部が接触する。
【００２８】
カバー２５は、合成樹脂材により直方体形の箱状に成形される。カバー２５の内方にはハウジング収容空間８３が形成され、ハウジング収容空間８３はカバー２５の長手方向一端側のハウジング挿入開口８５で開口される。カバー２５には、レンズ２７を収容するレンズ装着空間８７が形成される。カバー２５は、レンズ装着空間８７に、ハウジング先端面３５を進入させてハウジング１３に被着される。カバー２５には、レンズ装着空間８７の奥側にレンズ座部８９（図７（ｂ）参照）が形成される。カバー２５にはレンズ装着開口９１が開口され、レンズ装着開口９１はカバー２５に形成されレンズ装着空間８７に進入したハウジング先端面３５を挟んで奥側のレンズ座部８９と反対側に開口する。
【００２９】
カバー２５には、レンズ装着開口９１からレンズ座部８９に渡ってレンズ挿入ガイド溝９３が形成される。つまり、レンズ挿入ガイド溝９３は、レンズ装着空間８７に開放される。レンズ挿入ガイド溝９３は、横断面形状が略Ｔ字状に形成される。このレンズ挿入ガイド溝９３は、レンズ２７に形成される後述のガイド杆１０７と係合する。
【００３０】
カバー２５には、ハウジング１３が装着された後、更にハウジング挿入開口８５から電線ホルダー２９が装着される。カバー２５の側部には係止穴９５が形成され、係止穴９５は電線ホルダー２９の係止爪９７を係止する。カバー２５には、ハウジング１３の光出射開口４９と一致する筒状のレンズフード部９９が形成される。レンズフード部９９は、レンズ座部８９に装着されたレンズ２７のレンズ中心軸１０１（図７（ｂ）参照）に軸線が一致する。レンズフード部９９の外周にはバヨネット部１０３が形成され、バヨネット部１０３は図示しない取り付け部に着脱可能となる。
なお、カバー２５は、図３に示すように、レンズフード部９９がバヨネット部１０３を有さないリング状に形成されるものであってもよい。
【００３１】
レンズ２７は、レンズ本体１０５の片面が凸曲面となった偏平円板状に形成されている。レンズ本体１０５には、レンズ２７の光入射側からレンズ中心軸１０１に沿って突設されてレンズ挿入ガイド溝９３に係合することによりレンズ２７をレンズ座部８９まで挿入ガイドするガイド杆１０７が形成されている。レンズ本体１０５と同一の透明素材によりレンズ本体１０５と一体成形されているガイド杆１０７は、レンズ本体１０５の外径を挟んでその内外に渡って形成される。なお、レンズ本体１０５と別体に形成したガイド杆１０７を接着等により一体とすることもできる。
ガイド杆１０７は、横断面形状が略Ｔ字状に形成され、レンズ挿入ガイド溝９３にスライド自在に係合して、スライド方向と直交する方向には移動が規制される。レンズ挿入ガイド溝９３に係合したガイド杆１０７は、レンズ装着空間８７に突出される。レンズ装着空間８７に突出したガイド杆１０７は、カバー２５がハウジング１３へ被着されると、ハウジング１３に装着されたツエナーダイオード２１及びＬＥＤ１９に当接する。この際、ガイド杆１０７は、ハウジング１３の上下仕切壁４３に切り込まれたガイド杆進入溝４５に進入する。
【００３２】
電線ホルダー２９は、合成樹脂材によりブロック状に成形されている。電線ホルダー２９の３方の外面には、Ｕ字状の電線保持溝１０９が２箇所に形成されている。それぞれの電線保持溝１０９には、被覆付き電線７５がＵ字状に曲げられて装着される。電線ホルダー２９の前面にはそれぞれの電線保持溝１０９を跨って、水平の圧接刃進入スリット１１１が形成されている。これにより、電線ホルダー２９がカバー２５に挿入されると、カバー２５の内部で後方に向かって突出した圧接刃７７が、圧接刃進入スリット１１１に進入し、圧接刃７７と被覆付き電線７５の導体とが接続されるように構成されている。電線ホルダー２９の側面には、カバー２５の係止穴９５に係止される係止爪９７が突設されている。
【００３３】
次に、上記構成を有するＬＥＤユニット１１の組み立て手順を説明する。
ＬＥＤユニット１１を組み立てるには、図４（ａ）に示すように、先ず、左バスバー１５及び右バスバー１７をハウジング１３に装着する。ハウジング１３のバスバー収容室５７に挿入された左バスバー１５及び右バスバー１７は、後部当接片７９がハウジング後壁４１に当接するようにして、ハウジング１３に装着される。
【００３４】
左バスバー１５及び右バスバー１７がハウジング１３に装着された後、図４（ｂ）に示すように、左バスバー１５及び右バスバー１７の連結部８１がカットされる。バスバー収容室５７に装着された左バスバー１５及び右バスバー１７は、連結部８１が抵抗器装着開口５３に位置する。これにより、連結部８１がカットされたか否かが容易に視認できるようになっている。そして、図４（ｃ）に示すように、ツエナーダイオード２１が、接点部を下側にしてダイオード装着開口３９から挿入される。
【００３５】
図５（ａ）に示すように、ＬＥＤ１９が接点部を上側にして素子装着開口３７から挿入される。
図５（ｂ）に示すように、抵抗器２３が抵抗器装着開口５３から挿入される。抵抗器２３は、抵抗器装着開口５３から両縁部が保持された状態で挿入されることで、接点部が一対の副接触バネ片７３のそれぞれに接続される。
【００３６】
次に、図５（ｃ）に示すように、レンズ２７がカバー２５に組み付けられる。
レンズ２７は、ガイド杆１０７が挿入方向後方側に突出する向きで、ガイド杆１０７がレンズ挿入ガイド溝９３に係合するようにしてレンズ装着開口９１から挿入される。この際、自動組立による場合には、ガイド杆１０７がチャック１１３によって把持されることで、レンズ２７の容易且つ確実な把持が可能となる。
【００３７】
そして、ツエナーダイオード２１、ＬＥＤ１９、抵抗器２３の装着が完了したハウジング１３には、図６（ａ）に示すように、レンズ２７を装着されたカバー２５が被着される。カバー２５がハウジング１３をハウジング挿入開口８５から受け入れ、ハウジング１３が所定位置まで進入すると、ハウジング１３のロック突起５５がカバー２５に係止されてカバー２５とハウジング１３は離脱が規制されてロックされる。カバー２５の内方に挿入されたハウジング１３は、圧接刃７７が内方からハウジング挿入開口８５に向かって突出された状態となる。
【００３８】
この際、カバー２５に装着されたレンズ２７のガイド杆１０７が、ハウジング１３のガイド杆進入溝４５に進入する。ガイド杆進入溝４５に進入したガイド杆１０７は、ツエナーダイオード２１及びＬＥＤ１９に当接することになる。仮に、ツエナーダイオード２１及びＬＥＤ１９が素子装着空間３１に不完全に装着されている半嵌合状態であった場合には、このガイド杆１０７によってツエナーダイオード２１及びＬＥＤ１９は押し込まれて正規位置に装着される。
【００３９】
次に、図６（ｂ）に示すように、電線ホルダー２９には被覆付き電線７５が組み付けられる。被覆付き電線７５は、Ｕ字状に曲げられて電線保持溝１０９に装着される。
次に、図６（ｃ）に示すように、電線ホルダー２９がカバー２５のハウジング挿入開口８５から組み込まれる。電線ホルダー２９の前面にはそれぞれの電線保持溝１０９を跨って、水平の圧接刃進入スリット１１１が形成されている。これにより、電線ホルダー２９がカバー２５に挿入されると、カバー２５の内方で後方に向かって突出した圧接刃７７が、圧接刃進入スリット１１１に進入し、圧接刃７７と被覆付き電線７５の導体とが接続される。
【００４０】
そして、カバー２５に挿入された電線ホルダー２９は、カバー２５の側部に形成された係止穴９５に、側面に突設した係止爪９７が係止されて、カバー２５からの離脱が規制される。これにより、ハウジング１３、カバー２５、電線ホルダー２９が一体となり、レンズ２７、ツエナーダイオード２１、ＬＥＤ１９及び抵抗器２３が装着されたＬＥＤユニット１１の組み立てが完了する。
【００４１】
次に、上記構成のレンズ収容構造を備えたＬＥＤユニット１１の作用を説明する。
本実施形態のＬＥＤユニット１１によれば、レンズ２７の光入射側からレンズ中心軸１０１に沿ってガイド杆１０７が突設され、自動組立の際にはこのガイド杆１０７がチャック１１３によって把持され、レンズ２７を所望の姿勢で確実に保持できる。ガイド杆１０７が把持されたレンズ２７は、ガイド杆１０７がカバー２５のレンズ挿入ガイド溝９３に係合して挿入ガイドされながらレンズ装着開口９１からレンズ装着空間８７に挿入され、奥側のレンズ座部８９に容易に装着される。
【００４２】
カバー２５は、レンズ２７が装着された状態でＬＥＤ１９が装着されているハウジング１３に被着される。カバー２５がハウジング１３に被着されると、ハウジング１３のハウジング先端面３５がレンズ装着空間８７に進入する。ハウジング先端面３５には素子装着開口３７が開口されている。ここで、ＬＥＤ１９は、素子装着空間３１に不完全に装着されていると、素子装着開口３７から挿入後端部が突出した状態となる。素子装着開口３７から挿入後端部が突出したＬＥＤ１９は、ハウジング先端面３５がレンズ装着空間８７に進入すると、レンズ挿入ガイド溝９３に係合しているガイド杆１０７と当たる。
ＬＥＤ１９は、カバー２５が所定位置までハウジング１３に被着されると、挿入後端部に当接したガイド杆１０７によって素子装着空間３１の所定位置まで押し込まれ、図７（ｂ）に示した正規装着位置となる。この際、ＬＥＤ１９は、レンズ２７と一体のガイド杆１０７によってダイレクトに押し込まれるので、レンズ２７との相対位置に誤差が生じにくい。即ち、ＬＥＤ１９は、レンズ２７に対して相対位置が高精度に位置決めされることになる。
【００４３】
また、本実施形態のＬＥＤユニット１１では、レンズ外径の内側にＬＥＤ１９が配置されるサイズ関係であり、ガイド杆１０７がレンズ本体１０５のレンズ外径よりも内側に突出して形成されている。ここで、ガイド杆１０７は、レンズ本体１０５と同一の透明素材によりレンズ本体１０５と一体に成形されているので、レンズ２７のレンズ本体１０５に入射するまでの光を遮ることがない。これにより、ＬＥＤ１９の発光部とレンズ光入射面の間にガイド杆１０７が配置される構造の場合であっても光利用効率を低下させることがない。
【００４４】
更に、本実施形態のレンズ収容構造を備えたＬＥＤユニット１１では、レンズ２７のガイド杆１０７に押し込まれたＬＥＤ１９が位置決め部６３に当たって止まり、所定位置以上に押し込まれることがない。ＬＥＤ１９は、ガイド杆１０７と位置決め部６３とで挟まれることにより振動や衝撃によって移動しにくくなり、固定信頼性が高まる。また、ＬＥＤ１９及びツエナーダイオード２１が半嵌合の場合、上記のようにカバー２５がハウジング１３に正規位置まで被着されれば、ガイド杆１０７によってＬＥＤ１９及びツエナーダイオード２１は正規位置まで押し込まれて確実な装着が常に実現する。
【００４５】
従って、本実施形態に係るレンズ収容構造を備えたＬＥＤユニット１１によれば、ＬＥＤ１９とレンズ２７とを相対的に容易に位置決めできる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４６】
１１…ＬＥＤユニット（照明装置）
１３…ハウジング
１９…ＬＥＤ（半導体発光素子）
２５…カバー
２７…レンズ
３１…素子装着空間
３５…ハウジング先端面（一外面）
３７…素子装着開口
４７…直交外面
４９…光出射開口
６３…位置決め部
８７…レンズ装着空間
８９…レンズ座部
９１…レンズ装着開口
９３…レンズ挿入ガイド溝
１０１…レンズ中心軸
１０７…ガイド杆
【図１】
2014157688.tif 000003
【図２】
2014157688.tif 000004
【図３】
2014157688.tif 000005
【図４】
2014157688.tif 000006
【図５】
2014157688.tif 000007
【図６】
2014157688.tif 000008
【図７】
2014157688.tif 000009
【図８】
2014157688.tif 000010